(57)【要約】【課題】化粧枠の付け外しによって、操作入力部が操作できなくなったり、状態表示部が視認できなくなったりするのを防ぐ。【解決手段】埋込枠体１４（埋込部）は、壁面に設けられた埋込穴のなかに固定される。化粧枠１２は、埋込枠体１４と係合して固定され、上記埋込枠体１４の前面を覆う。インターフェース部１６は、状態表示部と操作入力部（点検スイッチ・自動点検スイッチ）と信号受信部とのうち少なくともいずれかを有する。カバー１５は、インターフェース部１６を内蔵してインターフェース部１６を外部から視認可能または操作可能に固定するとともに、埋込枠体１４と係合して固定され、化粧枠１２の外側に配置される。【選択図】図１
2014107138.tif 000002
【特許請求の範囲】
【請求項１】
壁面に設けられた埋込穴のなかに固定される埋込部と、
上記埋込部と係合して固定され、上記埋込部の前面を覆う化粧枠と、
状態表示部と操作入力部と信号受信部とのうち少なくともいずれかを有するインターフェース部と、
上記インターフェース部を内蔵して上記インターフェース部を外部から視認可能または操作可能に固定するとともに、上記埋込部と係合して固定され、上記化粧枠の外側に配置されたカバーと
を有することを特徴とする表示装置。
【請求項２】
上記表示装置は、上記埋込部に固定される本体を有し、
上記カバーは、スライドすることにより、上記埋込部と係合し、
上記本体は、上記カバーを上記埋込部に係合させたあとで上記埋込部に固定されることにより、上記カバーのスライドを阻止する
ことを特徴とする請求項１に記載の表示装置。
【請求項３】
上記カバーは、上記化粧枠の下側または短手側に配置されていることを特徴とする請求項１または請求項２に記載の表示装置。
【請求項４】
上記表示装置は、避難誘導の図柄を表示する誘導灯装置であることを特徴とする請求項１乃至請求項３のいずれかに記載の表示装置。
【発明の詳細な説明】
【技術分野】
【０００１】
この発明は、情報を表示する表示装置に関する。
【背景技術】
【０００２】
壁面などに埋め込んで設置される表示装置がある。化粧枠は、例えば、表示装置が埋め込まれる埋込穴や、表示装置との間の隙間を隠すために用いられる。
表示装置は、表示用ＬＥＤなど状態を表示するための状態表示部や、ボタンなど利用者による操作を入力するための操作入力部などを有する場合がある。状態表示部や操作入力部は、化粧枠に設けられた開口から外部に露出し、視認可能または操作可能に配置される。
【先行技術文献】
【特許文献】
【０００３】
【特許文献１】特開２００７−１７３１５１号公報
【特許文献２】特開２００９−９９３７６号公報
【発明の概要】
【発明が解決しようとする課題】
【０００４】
器具の施工やバッテリーの交換や修理などのため、化粧枠を付け外しする場合がある。
化粧枠の取付けに際し、誤って化粧枠をずれた状態で取り付けると、操作入力部が操作できなくなったり、状態表示部が視認できなくなったりする可能性がある。
この発明は、例えば、化粧枠の付け外しによって、操作入力部が操作できなくなったり、状態表示部が視認できなくなったりするのを防ぐことを目的とする。
【課題を解決するための手段】
【０００５】
この発明にかかる表示装置は、壁面に設けられた埋込穴のなかに固定される埋込部と、上記埋込部と係合して固定され、上記埋込部の前面を覆う化粧枠と、状態表示部と操作入力部と信号受信部とのうち少なくともいずれかを有するインターフェース部と、上記インターフェース部を内蔵して上記インターフェース部を外部から視認可能または操作可能に固定するとともに、上記埋込部と係合して固定され、上記化粧枠の外側に配置されたカバーとを有することを特徴とする。
【発明の効果】
【０００６】
この発明にかかる表示装置によれば、化粧枠の付け外しによって、操作入力部が操作できなくなったり、状態表示部が視認できなくなったりするのを防ぐことができる。
【図面の簡単な説明】
【０００７】
【図１】実施の形態１における表示装置１０の外観を示す斜視図。
【図２】実施の形態１における化粧枠１２の構造を示す斜視図。
【図３】実施の形態１における本体１３の構造を示す斜視図。
【図４】実施の形態１における埋込枠体１４の構造を示す斜視図。
【図５】実施の形態１におけるカバー１５及びインターフェース部１６の構造を示す斜視図。
【図６】実施の形態１における埋込枠体１４とカバー１５との係合を示す図。
【図７】実施の形態１における表示装置１０の組立過程を示す図。
【図８】実施の形態１における表示装置１０の組立過程を示す図。
【図９】実施の形態１における表示装置１０の組立過程を示す図。
【図１０】実施の形態２におけるカバー１５を示す正面図。
【図１１】実施の形態３におけるカバー１５を示す正面図。
【発明を実施するための形態】
【０００８】
実施の形態１．
実施の形態１について、図１〜図９を用いて説明する。
【０００９】
図１は、この実施の形態における表示装置１０の外観を示す斜視図である。
【００１０】
表示装置１０は、壁面などに埋め込んで使用され、所定の情報を表示する装置である。表示装置１０は、例えば、消防法に定められた避難誘導の図柄を表示することにより、非常口などの情報を表示する誘導灯装置である。あるいは、表示装置１０は、案内情報や警告情報などの情報を表示するものであってもよい。
表示装置１０は、例えば、化粧枠１２と、本体１３と、埋込枠体１４と、カバー１５と、インターフェース部１６（図５参照）とを有する。
埋込枠体１４（埋込部）は、壁面などに設けられた埋込穴のなかに固定される。
本体１３は、埋込枠体１４のなかに配置されている。本体１３は、所定の情報を表示する表示部３２を有する。
化粧枠１２は、本体１３及び埋込枠体１４の前面を覆い、埋込枠体１４や埋込穴を隠す。
カバー１５（点検スイッチカバー）は、化粧枠１２の下側に、化粧枠１２から連続して一体に見えるように配置されている。カバー１５は、インターフェース部１６を内蔵している。
インターフェース部１６は、例えば、本体の状態などを表示し、あるいは、利用者による操作を入力する。
【００１１】
図２は、この実施の形態における化粧枠１２の構造を示す斜視図である。
【００１２】
化粧枠１２は、例えば、上枠部２１と、左枠部２２と、右枠部２３と、下枠部２４とを有し、上枠部２１と左枠部２２と右枠部２３と下枠部２４とに囲まれた中央に開口２５（開口部）を有する。
上枠部２１は、本体１３の表示部３２より上の部分を覆う。
左枠部２２は、本体１３の表示部３２より左の部分を覆う。
右枠部２３は、本体１３の表示部３２より右の部分を覆う。
下枠部２４は、本体１３の表示部３２より下の部分を覆う。
本体１３の表示部３２は、開口２５を介して外部から視認可能である。
【００１３】
図３は、この実施の形態における本体１３の構造を示す斜視図である。
【００１４】
本体１３は、例えば、枠部３１と、表示部３２と、ランプホルダユニット３３とを有する。
枠部３１（電気部品収納部）は、ほぼ直方体形状であり、前面が開口している。枠部３１は、端子台３４（図８参照）や点灯装置３５（図８参照）やバッテリー３６（図８参照）などを内蔵している。端子台３４は、商用電源などの外部電源に接続され、外部電源から供給される電力を入力する。バッテリー３６（蓄電池、非常時電源）は、点灯装置３５を介して、端子台３４が入力した電力により充電される。点灯装置３５（点灯制御部）は、端子台３４が入力した電力やバッテリー３６に蓄えられた電力により、光源を点灯する。
ランプホルダユニット３３は、点灯装置３５により点灯される光源を有する。光源（ランプ）は、例えば、ＬＥＤである。ランプホルダユニット３３の光源が発した光は、表示部３２に入射する。
表示部３２は、ランプホルダユニット３３の光源によって照らされ、所定の情報を表示する発光面を有する。
【００１５】
図４は、この実施の形態における埋込枠体１４の構造を示す斜視図である。
【００１６】
埋込枠体１４（ケース）は、例えば、基部４１と、左翼部４２と、右翼部４３と、下翼部４４とを有する。埋込枠体１４は、例えば板金を折り曲げて形成される。
基部４１は、例えば、ほぼ長方形板状である。基部４１は、中央上寄りに開口４１１を有する。
【００１７】
左翼部４２は、基部４１の左側に連接している。左翼部４２は、例えば、側部４２１と、鍔部４２２と、縁部４２３，４２４と、係合部４２５とを有する。
側部４２１は、ほぼ長方形板状であり、基部４１に対してほぼ垂直に連接している。
鍔部４２２は、平面板状であり、側部４２１に対してほぼ垂直に連接している。鍔部４２２は、基部４１とほぼ平行である。
縁部４２３，４２４は、平面板状であり、鍔部４２２に対してほぼ垂直に連接している。縁部４２３，４２４は、側部４２１とほぼ平行である。
係合部４２５は、例えば、鍔部４２２と縁部４２４とにまたがって設けられた開口である。係合部４２５は、例えば、左翼部４２の上下方向のほぼ中央に設けられている。係合部４２５は、化粧枠１２と係合して、化粧枠１２を固定する。
【００１８】
右翼部４３は、基部４１の右側に連接している。右翼部４３は、例えば、側部４３１と、鍔部４３２と、縁部４３３，４３４と、係合部４３５とを有する。
側部４３１は、ほぼ長方形板状であり、基部４１に対してほぼ垂直に連接している。側部４３１は、側部４２１とほぼ平行である。
鍔部４３２は、平面板状であり、側部４３１に対してほぼ垂直に連接している。鍔部４３２は、基部４１とほぼ平行であり、鍔部４２２とほぼ同一平面をなす。
縁部４３３，４３４は、平面板状であり、鍔部４３２に対してほぼ垂直に連接している。縁部４３３，４３４は、側部４２１，４３１及び縁部４２３，４２４とほぼ平行である。
係合部４３５は、例えば、鍔部４３２と縁部４３４とにまたがって設けられた開口である。係合部４３５は、例えば、右翼部４３の上下方向のほぼ中央に設けられている。係合部４３５は、化粧枠１２と係合して、化粧枠１２を固定する。
【００１９】
下翼部４４は、基部４１の下側に連接している。下翼部４４は、例えば、側部４４１と、鍔部４４２と、縁部４４３と、係合部４４５，４４６とを有する。
側部４４１は、ほぼ長方形板状であり、基部４１に対してほぼ垂直に連接している。側部４４１は、側部４２１，４３１及び鍔部４２２，４３２及び縁部４２３，４２４，４３３，４３４に対してほぼ垂直である。
鍔部４４２は、ほぼ長方形板状であり、側部４４１に対してほぼ垂直に連接している。鍔部４４２は、基部４１及び鍔部４２２，４３２とほぼ平行である。鍔部４４２と基部４１との間の距離（すなわち、側部４４１の幅）は、鍔部４２２及び鍔部４３２と基部４１との間の距離（すなわち、側部４２１，４３１の幅）よりも短い。
縁部４４３は、平面板状であり、鍔部４４２に対してほぼ垂直に連接している。縁部４４３は、側部４４１とほぼ平行である。
係合部４４５，４４６（ガイド溝）は、例えば、側部４４１と鍔部４４２とにまたがって設けられた開口である。係合部４４５は、例えば、下翼部４４の左端付近に設けられている。係合部４４６は、例えば、係合部４４５と対称に、下翼部４４の右端付近に設けられている。係合部４４５，４４６は、カバー１５と係合して、カバー１５を固定する。
【００２０】
図５は、この実施の形態におけるカバー１５及びインターフェース部１６の構造を示す斜視図である。
【００２１】
インターフェース部１６（機器）は、例えば、点検スイッチと、自動点検スイッチと、状態表示部と、信号受信部と（いずれも不図示）を有する。
点検スイッチ（操作入力部）は、本体の状態を点検するためのスイッチである。点検スイッチが押されると、表示装置１０は、例えば、バッテリー３６に蓄えられた電力により、光源を点灯する。バッテリー３６が充電されているのに光源が点灯しなければ、配線の外れや断線、点灯装置３５や光源の故障などの異常が発生していることがわかる。
自動点検スイッチ（操作入力部）は、本体の状態を更に詳しく点検するためのスイッチである。自動点検スイッチが押されると、例えば、表示装置１０は、バッテリー３６が満充電されている状態から、バッテリー３６に蓄えられた電力で光源を点灯し、光源が所望の時間（例えば、２０分あるいは６０分）点灯するかを点検する。また、表示装置１０は、光源の寿命がどれくらい残っているかを点検してもよい。
状態表示部（モニタ）は、本体の状態を表示する。状態表示部は、例えば、発光色が異なる複数の表示用ＬＥＤ（ランプ）を有する。状態表示部は、例えば、バッテリー３６の充電状態、自動点検スイッチによる点検中であるか否か、点検の結果、ランプホルダユニット３３の光源の異常、寿命などを表示する。
信号受信部は、リモコンなどからの信号を受信する。リモコン（送信機）は、利用者の操作を入力し、入力した操作を表わす信号を送信する。表示装置１０は、信号受信部が受信した信号によって表わされる操作にしたがって、動作する。リモコンは、例えば、点検スイッチや自動点検スイッチを有する。利用者がリモコンの点検スイッチや自動点検スイッチを押すと、そのことを表わす信号（点検開始信号）をリモコンが送信し、信号受信部６４が受信する。表示装置１０は、インターフェース部１６の点検スイッチや自動点検スイッチが押されたときと同様に、点検動作をする。
【００２２】
カバー１５は、例えば、前面部５１と、鍔部５２と、当接部５３ａ〜５３ｃ，５４と、係合部５５，５６，５７ａ〜５７ｄ（係合部５７ｃ，５７ｄは不図示）と、蓋５８とを有する。
前面部５１は、化粧枠１２と一体に見えるよう、表面が化粧枠１２とほぼ同じ色・質感に仕上げられている。前面部５１は、貫通穴５１１〜５１４を有する。
貫通穴５１１には、ボタン６１が嵌合している。ボタン６１は、カバー１５とは別部品として構成され、前面部５１に対して垂直方向に移動可能である。ボタン６１は、インターフェース部１６の点検スイッチに対応する位置に配置されている。利用者がボタン６１を押すと、インターフェース部１６の点検スイッチが押され、表示装置１０は、点検動作をする。
貫通穴５１２には、ボタン６２が嵌合している。ボタン６２は、カバー１５とは別部品として構成され、前面部５１に対して垂直方向に移動可能である。ボタン６２は、インターフェース部１６の自動点検スイッチに対応する位置に配置されている。利用者がボタン６２を押すと、インターフェース部１６の自動点検スイッチが押され、表示装置１９は、点検動作をする。
貫通穴５１３は、インターフェース部１６の状態表示部に対応する位置に設けられている。状態表示部は、貫通穴５１３を介して、外部から視認できる。
貫通穴５１４は、インターフェース部１６の信号受信部に対応する位置に設けられている。信号受信部は、貫通穴５１４を介して、外部からの信号を受信する。
鍔部５２は、前面部５１の上側に設けられている。鍔部５２は、化粧枠１２とカバー１５との間の隙間を塞ぐ。
当接部５３ａ〜５３ｃ，５４及び係合部５５，５６，５７ａ〜５７ｄは、前面部５１の裏側に設けられている。
当接部５３ａ〜５３ｃは、前面部５１の上端に設けられている。当接部５３ａは、前面部５１の左端付近に設けられている。当接部５３ｂは、前面部５１の左右方向のやや左寄りに設けられている。当接部５３ｃは、前面部５１の右端付近に設けられている。当接部５３ａ〜５３ｃは、埋込枠体１４の側部４４１に当接して、カバー１５の位置を決める。
当接部５４は、当接部５３ｂの近くに設けられている。当接部５４は、埋込枠体１４の鍔部４４２に当接して、カバー１５の位置を決める。
係合部５５は、当接部５３ａの下に設けられている。係合部５６は、当接部５３ｃの下に設けられている。係合部５５，５６は、先端がＬ字状に外側に曲がった板状に形成されている。係合部５５は、埋込枠体１４の係合部４４５と係合して、カバー１５を埋込枠体１４に固定する。係合部５６は、埋込枠体１４の係合部４４６と係合して、カバー１５を埋込枠体１４に固定する。
係合部５７ａ〜５７ｄは、蓋５８に設けられた突起と係合して、蓋５８を固定するための穴である。
蓋５８は、例えば、平板状である。蓋５８は、係合部５７ａ〜５７ｄと係合して固定されることにより、インターフェース部１６が外れないように押さえる。
【００２３】
表示装置１０の組立は、例えば、次のような手順で行う。
【００２４】
まず、インターフェース部１６をカバー１５に嵌め込み、蓋５８を係合部５７ａ〜５７ｄに係合させて固定し、図５に示した状態にする。
次に、カバー１５を埋込枠体１４に係合させて固定する。
【００２５】
図６は、この実施の形態における埋込枠体１４とカバー１５との係合を示す図である。
【００２６】
係合部４４５の鍔部４４２に設けられている部分は、係合部５５の板厚とほぼ同じ幅のスリット状である。係合部４４５の側部４４１に設けられている部分は、係合部４４５よりも幅が広く、係合部５５のＬ字状に曲がった先端を挿通することができる。ここを通して、係合部５５のＬ字状に曲がった先端を鍔部４４２の裏側に入れ、カバー１５全体を下方向へ移動（スライド）させると、係合部５５と係合部４４５とが係合して、カバー１５が埋込枠体１４に固定される。
係合部４４６と係合部５６との係合も同様である。
ネジなどの固定部材が不要なので、表示装置１０の部品数が少なくて済み、組立作業の効率が良い。これにより、表示装置１０の製造コストを抑えることができる。
【００２７】
図７は、この実施の形態における表示装置１０の組立過程を示す図である。
【００２８】
この図は、カバー１５を埋込枠体１４に固定したところを示している。
次に、本体１３のうち枠部３１を埋込枠体１４に固定する。
【００２９】
図８は、この実施の形態における表示装置１０の組立過程を示す図である。
【００３０】
この図は、枠部３１を埋込枠体１４に固定したところを表わす。
上述したように、枠部３１のなかには、端子台３４、点灯装置３５、バッテリー３６などが内蔵されている。
次に、本体１３のうち、表示部３２及びランプホルダユニット３３を枠部３１に固定する。
【００３１】
図９は、この実施の形態における表示装置１０の組立過程を示す図である。
【００３２】
この図は、表示部３２及びランプホルダユニット３３を枠部３１に固定したところを表わす。
最後に、化粧枠１２を埋込枠体１４に固定して、図１の状態となる。
【００３３】
バッテリー３６の交換や修理などをする場合は、まず、化粧枠１２を外し、次に、表示部３２及びランプホルダユニット３３を外して、図８の状態にする。バッテリー３６の交換や修理などが終わったら、上述した手順により、表示部３２及びランプホルダユニット３３と、化粧枠１２とを取り付ける。
【００３４】
このように、バッテリー３６の交換や修理などをする場合、カバー１５を外す必要がない。仮に、カバー１５を外す必要が生じた場合であっても、インターフェース部１６は、カバー１５と係合して固定されているので、カバー１５と一体になって外される。このため、カバー１５とインターフェース部１６とがずれて、点検スイッチや自動点検スイッチが操作できなくなったり押されたままの状態になったり、状態表示部６３が視認できなくなったり、信号受信部６４が信号を受信できなくなったりするのを防ぐことができる。特に、点検スイッチや自動点検スイッチが押されたままの状態になるのを防ぐことにより、バッテリー３６が放電するのを防ぐことができる。
【００３５】
また、埋込枠体１４からカバー１５を外すには、カバー１５を上方向へ動かす必要がある。埋込枠体１４に枠部３１を取り付けると、枠部３１がカバー１５の上側に位置するので、枠部３１を外さなければカバー１５を外すことはできない。カバー１５の取付けにネジなどの固定部材を用いる必要がないので、表示装置１０の製造コストを抑えることができる。
【００３６】
なお、カバー１５は、化粧枠１２の下側ではなく、左側、右側、あるいは上側に位置する構成であってもよい。カバー１５を点灯装置３５に近い位置に設けるほうが、インターフェース部１６と点灯装置３５とを接続する配線が短くなるので好ましい。また、カバー１５を表示部３２の短手側に設けるほうが、バランスがよく、意匠性が向上する。
【００３７】
また、操作入力部は、点検スイッチや自動点検スイッチに限らず、他の機能を有するボタンやレバーなどであってもよい。
【００３８】
実施の形態２．
実施の形態２について、図１０を用いて説明する。
なお、実施の形態１と共通する部分については、同一の符号を付し、説明を省略する。
【００３９】
この実施の形態における表示装置１０は、実施の形態１で説明したリモコン操作機能を有さない。
【００４０】
図１０は、この実施の形態におけるカバー１５を示す正面図である。
【００４１】
インターフェース部１６は、点検スイッチと、自動点検スイッチと、状態表示部と（いずれも不図示）を有する。インターフェース部１６は、実施の形態１で説明した信号受信部を有さない。
これに対応して、カバー１５は、貫通穴５１４を有さない。
【００４２】
このように、インターフェース部１６は、点検スイッチと、自動点検スイッチと、状態表示部と、信号受信部とをすべて有する必要はなく、信号受信部がない構成であってもよい。
【００４３】
実施の形態１で説明したリモコン操作機能を有する表示装置１０と、この実施の形態で説明したリモコン操作機能を有さない表示装置１０とでは、カバー１５及びインターフェース部１６が異なるだけで、化粧枠１２には、共通の部品を用いることができる。これにより、表示装置１０の製造コストを抑えることができる。
【００４４】
実施の形態３．
実施の形態３について、図１１を用いて説明する。
なお、実施の形態１または実施の形態２と共通する部分については、同一の符号を付し、説明を省略する。
【００４５】
この実施の形態における表示装置１０は、バッテリー３６を有さない。例えば、建物全体がバックアップ用の電源や蓄電設備などの非常用電源を有し、停電時には、非常用電源から電力が供給される場合がある。この実施の形態における表示装置１０は、このような場所に設置されるものである。
また、この実施の形態における表示装置１０は、バッテリー３６の容量を点検する必要がないので、実施の形態１で説明した点検機能を有さない。代わりに上記非常電源へ商用電源から正常に切り替わるかを確認するための機能を有する。
【００４６】
図１１は、この実施の形態におけるカバー１５を示す正面図である。
【００４７】
インターフェース部１６は、状態表示部（不図示）を有する。インターフェース部１６は、実施の形態１で説明した点検スイッチ及び自動点検スイッチ及び信号受信部を有さない。
これに対応して、カバー１５は、貫通穴５１１，５１２，５１４及びボタン６１，６２を有さない。
【００４８】
このように、インターフェース部１６は、点検スイッチと、自動点検スイッチと、状態表示部と、信号受信部とをすべて有する必要はなく、点検スイッチや自動点検スイッチがない構成であってもよい。
【００４９】
実施の形態１や実施の形態２で説明した点検機能を有する表示装置１０と、この実施の形態で説明した点検機能を有さない表示装置１０とでは、カバー１５及びインターフェース部１６が異なるだけで、化粧枠１２には、共通の部品を用いることができる。これにより、表示装置１０の製造コストを抑えることができる。
【００５０】
以上、各実施の形態で説明した構成は、一例であり、他の構成であってもよい。例えば、異なる実施の形態で説明した構成を矛盾しない範囲で組み合わせた構成であってもよいし、本質的でない部分の構成を、他の構成で置き換えた構成であってもよい。
【符号の説明】
【００５１】
１０  表示装置、１２  化粧枠、１３  本体、１４  埋込枠体、１５  カバー、１６  インターフェース部、２１  上枠部、２２  左枠部、２３  右枠部、２４  下枠部、２５  開口、３１  枠部、３２  表示部、３３  ランプホルダユニット、３４  端子台、３５  点灯装置、３６  バッテリー、４１  基部、４１１  開口、４２  左翼部、４２１，４３１，４４１  側部、４２２，４３２，４４２，５２  鍔部、４２３，４２４，４３３，４３４，４４３  縁部、４２５，４３５，４４５，４４６，５５〜５７  係合部、４３  右翼部、４４  下翼部、５１  前面部、５１１〜５１４  貫通穴、５３，５４  当接部、６１，６２  ボタン。
【図１】
2014107138.tif 000003
【図２】
2014107138.tif 000004
【図３】
2014107138.tif 000005
【図４】
2014107138.tif 000006
【図５】
2014107138.tif 000007
【図６】
2014107138.tif 000008
【図７】
2014107138.tif 000009
【図８】
2014107138.tif 000010
【図９】
2014107138.tif 000011
【図１０】
2014107138.tif 000012
【図１１】
2014107138.tif 000013